(57)【要約】    オプティック部（２）とハプティック部（３、１０３）を備える眼内レンズ（１、１０１）であって、眼内レンズは、オプティック部（２）とハプティック部（３、１０３）との間の各推移部において、２つのノッチ（７ａ、８ａ、１４、１５、１２２、１２３）を備えており、２つのノッチ（７ａ、８ａ、１４、１５、１２２、１２３）は、上記推移部のいずれかの側のそれぞれに配置されており、各ノッチ（７ａ、８ａ、１４、１５、１２２、１２３）は、ハプティック部（３、１０３）の縁部に沿って延在しかつオプティック部（２）の周辺部に作用することを特徴とする眼内レンズ。
2011520541.tif 000002
【特許請求の範囲】
【請求項１】
オプティック部（２）とハプティック部（３、１０３）を備える眼内レンズ（１、１０１）であって、
該眼内レンズは、前記オプティック部（２）と前記ハプティック部（３、１０３）との間の推移部のそれぞれにおいて、２つのノッチ（７ａ、８ａ、１４、１５、１２２、１２３）を備え、
２つのノッチ（７ａ、８ａ、１４、１５、１２２、１２３）は、前記推移部のいずれかの側のそれぞれに配置されており、各ノッチ（７ａ、８ａ、１４、１５、１２２、１２３）は、前記ハプティック部（３、１０３）の縁部に沿って延在しかつ前記オプティック部（２）の周辺部に作用することを特徴とする眼内レンズ。
【請求項２】
請求項１に記載の眼内レンズであって、
前記ハプティック部（３）は、前記オプティック部（２）の中心に対して対称的に配置された２つのハプティック用アセンブリ（３ａ、３ｂ）を備え、前記２つのハプティック用アセンブリのそれぞれが２つのループ（４、５）を含み、前記２つのループのそれぞれがリム（９、１０）によって取り囲まれた窪み部（７、８）を備えることを特徴とする眼内レンズ。
【請求項３】
請求項２に記載の眼内レンズであって、
前記窪み部（７、８）のそれぞれが、
前記オプティック部（２）に沿って位置決めされた三角形の頂点（Ｓ３）を囲む２つの軸（Ａ１、Ａ２）が、前記オプティック部の光軸（Ｏ）の上方で、前記オプティック部の直径部（ＹＹ´）と交差するように向けられた前記三角形内に含まれることを特徴とする眼内レンズ。
【請求項４】
請求項２又は３に記載の眼内レンズであって、
前記窪み部（７、８）のそれぞれが前記オプティック部（２）の周辺部に作用することを特徴とする眼内レンズ。
【請求項５】
請求項２から４のいずれかに記載の眼内レンズであって、
前記ノッチのセットが４つのノッチ（１４、１５）を含み、各ノッチは前記ループ（４、５）の縁部に沿って延在しかつ前記オプティック部（２）の周辺部に作用する、丸められた形状を持つことを特徴とする眼内レンズ。
【請求項６】
請求項１に記載の眼内レンズであって、
前記ハプティック部（１０３）は、直径上の対向側にある２つの要素（１０３ａ、１０３ｂ）を備え、前記要素のそれぞれは、前記眼の内壁と接触するための接触部（１２０）と、前記オプティック部（２）の周辺部に前記要素を接続する接続アーム（１２１）と、を含むことを特徴とする眼内レンズ。
【請求項７】
請求項６に記載の眼内レンズであって、
前記ノッチのセットは、少なくとも２つのノッチ（１２２、１２３）を含み、各ノッチは卵形の形状を持ち、前記接続用アーム（１２１）の１つの縁部に沿って延在し、かつ、前記オプティック部（２）の周辺部に作用することを特徴とする眼内レンズ。
【発明の詳細な説明】
【技術分野】
【０００１】
本発明の対象は、眼内レンズである。
【背景技術】
【０００２】
眼内レンズは、実際の補正光学系を形成するオプティック部と、適正な位置において眼の内側にオプティック部の嵌合と固定のために使用されるハプティック部とを備える。
【０００３】
かかるレンズは、一般に、その材料は曲げられたり巻かれ、その結果小さな切り目を介して目の中に挿入されることができ、該レンズが眼の中に嵌合されるときに、規定の形状及び寸法に戻るような可撓性材料で製造される。
【０００４】
眼内レンズは、一定数の機械的な制約を受けなければならない。特に、該レンズのハプティック部は、該レンズが嵌合される眼の寸法に関わりなくカプセル状の嚢を補正して引張るのに十分な可撓性である必要があるため、十分可撓性があるものでなければならない。しかし、該レンズのハプティック部は、効果的な補正を許容するため、光軸面において十分な剛性がなければならない。
【０００５】
眼内レンズの形状は、セルの移動を制限するのに適したものである必要がある。この後者のセルの移動は後嚢混濁（ＰＣＯ）を導く。後嚢混濁を防止するために、四角形の縁部が、一般に、オプティック部の周辺部全体を覆うように製造される。
【０００６】
この理由のために、眼内レンズは、旋盤加工され、その後フライス加工されることにより製造される。旋盤加工は、可撓性の材料の塊から該レンズをカットし、かつ、オプティック部の周辺部の上の四角形の縁部を製造するために使用される。それから、フライス加工は、オプティック部とハプティック部との間の推移部で四角形の縁部を製造するのに使用される。以上のことは、加工具を変えるときに芯ずれの問題を導く。
【発明の概要】
【０００７】
本発明の目的は、これらの機械的な制約を受けるが、製造中に芯ずれの問題を回避し、かつ、セルの移動を制限する、眼内レンズを提案することである。
【０００８】
この目的を達成するための、本発明の対象は、オプティック部とハプティック部を備える眼内レンズであって、該眼内レンズは、前記オプティック部と前記ハプティック部との間の各推移部において、２つのノッチを備え、該２つのノッチは、前記推移部のいずれかの側のそれぞれに配置されており、各ノッチは、前記ハプティック部の縁部に沿って延在しかつ前記オプティック部の周辺部に作用することを特徴とする眼内レンズである。
【０００９】
本発明の第１の実施形態によれば、前記ハプティック部は、前記オプティック部の中心に対して対称的に配置された２つのハプティック用アセンブリを備え、前記２つのハプティック用アセンブリのそれぞれが２つのループを含み、前記２つのループのそれぞれがリムによって取り囲まれた窪み部を備える。
【００１０】
好ましくは、本発明の第１の実施形態によれば、前記窪み部のそれぞれは、前記オプティック部に沿って位置決めされた三角形の頂点を取り囲む２つの軸が、前記オプティック部の光軸の上方で、前記オプティック部の直径部と交差するように向けられた前記三角形内に含まれる。
【００１１】
有益なことには、本発明の第１の実施形態によれば、前記窪み部のそれぞれが前記オプティック部の周辺部に作用する。
【００１２】
好ましくは、本発明の第１の実施形態によれば、前記ノッチのセットが４つのノッチを含み、各ノッチは前記ループの縁部に沿って延在しかつ前記オプティック部の周辺部に作用する、丸められた形状を持つ。
【００１３】
本発明の第２の実施形態によれば、前記ハプティック部は、直径上の対向側にある２つの要素を備え、前記要素のそれぞれは、前記眼の内壁と接触するための接触部と、前記オプティック部の周辺部に前記要素を接続する接続アームとを含む。
【００１４】
好ましくは、本発明の第２の実施形態によれば、前記ノッチのセットは、少なくとも２つのノッチを含み、各ノッチは卵形の形状を持ち、前記接続用アームの１つの縁部に沿って延在しかつ前記オプティック部の周辺部に作用する。
【００１５】
本発明は、添付された概念的な図面を参照して、単純に例示されかつ制限されない実施例として与えられた、本発明のいくつかの実施形態の詳細な説明のための記載から、より理解され、かつ、本発明の他の目的、詳細、特徴及び利点がより明らかになるであろう。
【図面の簡単な説明】
【００１６】
【図１】図１は、本発明の第１実施形態による眼内レンズの後方面の立面の、単純化された概念図である。
【図２】図２は、図１の領域ＩＩの拡大図である。
【図３】図３は、眼内レンズのハプティック部のループの形状を特定する図１に類似した図である。
【図４】図４は、本発明の第２の実施形態による眼内レンズを示す図１に類似した図である。
【図５】図５は、図４の領域Ｖの拡大図である。
【発明の実施の形態】
【００１７】
図１は、本発明の第１実施形態による一体成形の可撓性のある眼内レンズ１を示す。
当該レンズ１は、それ自体知られているような態様で、（表現されていないが）目のカプセル状の嚢にインプラントされるためのものである。
【００１８】
眼内レンズ１は、オプティック部２とハプティック部３とを持つ。例えば、眼内レンズ１は、約９．７４ｍｍの高さＨと、約６．６８ｍｍの幅ｈとを持ち、かつ１０．７ｍｍに略等しい直径Ｄ´の円に包含され得る。一般的に、眼内レンズ１の直径は、カプセル状の嚢の直径に適合されている。
【００１９】
オプティック部２は略円形であり、その直径Ｄは例えば６ｍｍに略等しい。
【００２０】
ハプティック部３は、オプティック部２の中心すなわちオプティック部２の直径Ｘ、Ｘ´とオプティック部２の直径Ｙ、Ｙ´との交点に対して対称的に配置された２つのハプティック用アセンブリ３ａ及び３ｂを備える。２つのハプティック用アセンブリ３ａ、３ｂは同一である。よって、ハプティック用アセンブリ３ａのみが以下に詳述される。
【００２１】
ハプティック用アセンブリ３ａは、２つのループ４及び５を備えている。各ループ４、５は、それぞれが、オプティック部２の周辺部に接続されている第１端部４ａ、５ａを持ち、かつ、それぞれが、レンズ１が眼に嵌合されたときにその眼の内壁と接触するようにされている、弾性的に変形可能な第２端部４ｂ、５ｂを持つ。
【００２２】
２つのループ４、５は、直径Ｙ、Ｙ´に対して略対称的に配置されている。ハプティック用アセンブリ３ａは、オプティック部２の周辺部に沿って、２つのループ４及び５の間に延在する結合用ストリップ６を含む。
【００２３】
各ループ４、５は、それぞれが窪み部７、８を備え、これは、それぞれ弾性的に変形可能なリム９、１０によって囲まれる。各リム９、１０は、典型的には約０．２２ｍｍの幅を持つ。窪み部７、８の１つ、例えば窪み部８は偏光子１１を含む。
【００２４】
図３を参照すると、各窪み部７、８は、オプティック部２に沿って配置された三角形の頂点Ｓ３を囲む２つの軸Ａ１及びＡ２は、光軸Ｏの上方の直径Ｙ−Ｙ´と交差するように配向された三角形に包含されることが理解される。窪み部７、８のこの形状及びこの配向は、該レンズ１が眼に嵌合されるとき、ループ４、５に及ぼされる圧縮力を減少させる効果を持つ。圧縮力は、従来技術の眼内レンズに及ぼされる力に対して約２倍減少されることが実験から見出された。さらに、ループ４、５のこの形状及びこの配向は、カプセル状の嚢の中のシワの存在を防止又は少なくとも制限する。このことはセルの移動を回避し、その結果、ＰＣＯ（後嚢混濁）の出現を回避する。
【００２５】
各窪み部７、８は、それぞれノッチ７ａ、８ａを形成し、これが例えば約０．１ｍｍより厚く、オプティック部２の周辺部に作用する。これは、セルの通路のリスクを減少させ、ゆえにＰＣＯの発生を減少させる効果を持つ。図２は、（破線によって）オプティック部２、言い換えれば、ノッチ７ａ、８ａの周辺部に材料の縮みを示すためのオプティック部２と同様の中心を持つ円Ｃ１の弧を示す。
【００２６】
該レンズ１は、各ループ４、５の基準位置で、それぞれが丸められた形状を持つノッチ１４、１５を含み、各ノッチは、例えば、約０．１ｍｍより厚く、ループ４、５の縁部に沿って延在しかつオプティック部２の周辺部に作用する（図２）。ノッチ１４、１５は、３つの機能を持つ。
【００２７】
換言すると、該レンズ１は、オプティック部２とハプティック部３との間の各推移部において、２つのノッチ７ａ、８ａ、１４、１５を備える。２つのノッチ７ａ、８ａ、１４、１５は、ハプティック部３の縁部に沿って延在しかつオプティック部２の周辺部に作用しながら、２つのノッチ７ａ、８ａ、１４、１５は、推移部のいずれかの側にそれぞれ配置されている。
【００２８】
第１に、ノッチ１４，１５は、レンズ１の製造中に心合わせ（センタリング）手段として機能する。これは加工具を変えるときの心ずれの問題を回避し、その結果、多くの不必要なレンズを減少させることを可能にさせる。実際には、ノッチ７ａ、８ａ、１４、１５は、加工具すなわち旋盤加工及びフライス加工の加工具の加工線を、多くのセグメントに分離するために使用される。各セグメントは、このようにして較正されることができ、もって心合わせを容易にする。
【００２９】
第２に、ノッチ１４、１５の存在は、材料を除去させる。このことは、セルの移動を制限する効果と、それゆえに、ＰＣＯの出現を制限する効果をもたらす。実際に、実験から、セルはオプティック部２の周辺部に沿って移動する傾向と、それからオプティック部２とハプティック部３との間の推移部で該レンズ１を通過させる傾向を持つこと、ノッチ７ａ、８ａ、１４、１５は、この推移部で四角形の縁部を明確に持つこと、そしてその結果、セルを保持しかつセルが該レンズ１の上を移動することを防ぐ溜め部を形成することが観察された。
【００３０】
第３に、ノッチ１４、１５は、該レンズ１の嵌合時にループ４、５が外側の方へ離れながら移動されることを可能にするための変曲点を作り出す。そしてこれは、カプセル状の嚢へのレンズ１の固定を高めることを可能にさせる。
【００３１】
図４は、第２実施形態による眼内レンズ１０１を示す。第1実施形態に類似する要素は同一の参照番号が与えられており、再度述べられることはないであろう。
【００３２】
ここで、眼内レンズ１０１は、例えば、約１２．３０ｍｍの高さＨ、約６ｍｍの幅ｈを持ち、１３ｍｍに略等しい直径Ｄ´の円に包含され得る。
【００３３】
ハプティック部１０３は、直径上の対向側に２つの要素１０３ａ及び１０３ｂを備える。２つの要素１０３ａ及び１０３ｂは同一であるため、要素１０３ａのみを以下に述べる。要素１０３ａは接触部１２０と接続用アーム１２１を含み、接触部１２０は眼の内壁に接触するようにされ、接続用アーム１２１は要素１０３ａをオプティック部２の周辺部に接続する。
【００３４】
レンズ１０１は卵形の形状のノッチ１２２を含み、これはアーム１２１の縁部に沿って延在しかつオプティック部２の周辺部に作用する。レンズ１０１は卵形状のノッチ１２３を含み、これはアーム１２１のその他の縁部に沿って延在しかつオプティック部２の周辺部に作用する。
【００３５】
それゆえに、該レンズ１０１は、オプティック部２とハプティック部１０３との間の各推移部において、2つのノッチ１２２、１２３を含む。2つのノッチ１２２、１２３は、上記推移部のいずれかの側にそれぞれ配置され、ハプティック部１０３の縁部に沿って延在しかつオプティック部２の周辺部に作用する。
【００３６】
ノッチ１２２及び１２３は上述したノッチ１４、１５と同様の機能を持つ。図５は、破線によって、オプティック部２の周辺部で材料の縮みを示すために、オプティック部２と同じ中心で同じ半径の円の弧を示す。
【００３７】
本発明は、多くの特別な実施形態に関して述べてきたけれども、これに限られるものでは決してなく、かつ、本発明は述べられた手段のすべての技術的な均等物および、該均等物が本発明の要旨内に当てはまる場合にそれらの組み合わせを含むことは自明である。
【図１】
2011520541.tif 000003
【図２】
2011520541.tif 000004
【図３】
2011520541.tif 000005
【図４】
2011520541.tif 000006
【図５】
2011520541.tif 000007
【国際調査報告】
2011520541.tif 000008
2011520541.tif 000009
2011520541.tif 000010
2011520541.tif 000011
2011520541.tif 000012
2011520541.tif 000013